(57)【要約】【課題】  着火タイミングの遅れがないようにする。【解決手段】  底部５とガイド壁６とを有するとともに、上面を開放した水保持器ｈと、この水保持器ｈ内に設けたガスパイプＰ1，Ｐ2・・・Ｐnと、ガス供給源と、ガスパイプとガス供給源との間に設けた電磁弁１３，１４とを備え、ガスパイプＰ1，Ｐ2・・・Ｐnには、真下に向けたガス噴出口を設けた火炎演出装置において、複数のガスパイプＰ1，Ｐ2・・・Ｐnをガス供給源１２に対して並列に接続するとともに、各ガスパイプＰ1，Ｐ2・・・Ｐnとガス供給源１２との間に電磁弁１３，１４を設けたものである。【選択図】  図２
2005265326.tif 000002
【特許請求の範囲】
【請求項１】
底部とガイド壁とを有するとともに、上面を開放した水保持器と、この水保持器内に設けたガスパイプと、ガス供給源と、ガスパイプとガス供給源との間に設けた開閉機構とを備え、ガスパイプには、真下に向けたガス噴出口を設けた火炎演出装置において、複数のガスパイプをガス供給源に対して並列に接続するとともに、各ガスパイプとガス供給源との間に開閉機構を設けてなる火炎演出装置。
【請求項２】
水保持器内に各ガスパイプを直列に配置してなる請求項１記載の火炎演出装置。
【請求項３】
直列に配置したガスパイプのうち、先頭に位置するガスパイプにパイロットバーナーを対応させ、先頭に位置するガスパイプのガスに着火した後は、直列に配置したガスパイプに順次引火する構成にした請求項２記載の火炎演出装置。
【請求項４】
各ガスパイプに対応してパイロットバーナーを設けた請求項１または２に記載した火炎演出装置。
【請求項５】
上記開閉機構を電磁弁で構成し、これら電磁弁の開閉タイミングおよびパイロットバーナーの着火タイミングを制御する制御器を設けた請求項１〜３のいずれかに記載の火炎演出装置。
【請求項６】
上記水保持器を、外枠と内枠とで二重構造にして、外枠と内枠とで構成される外側水槽と、内枠内に構成される内側水槽とを備えるとともに、これら内側水槽と外側水槽とを連通させる一方、外側水槽を水源に接続してなる請求項１または２記載の火炎演出装置。
【発明の詳細な説明】
【技術分野】
【０００１】
この発明は、水を保持した保持器の中で炎を燃え上がらせて、火の演出効果を高めるための火炎演出装置に関する。
【背景技術】
【０００２】
この種の装置として、特許文献１に記載したものが従来から知られている。この従来の装置は、底部とガイド壁とを有するとともに、上面を開放した水保持器に、ガス噴出口を真下に向けた可燃パイプを直線的に配置したものである。
そして、上記水保持器に水を満たした状態で、上記ガスパイプに接続したガス供給源からのガスに着火すると、炎が水保持器の水面から流出しているような演出効果を期待できる。
【０００３】
なお、上記ガスパイプのガス噴出口を真下に向けるとともに、このガスパイプとガス供給源との間には開閉機構を設けているので、この開閉機構を開けない限り、ガスパイプ内に水が入らない。また、開閉機構を開けてガスを噴出している間は、ガス圧の作用でパイプ内に水が入らない。
【０００４】
【特許文献１】特開２００２−１１５７９７号公報
【発明の開示】
【発明が解決しようとする課題】
【０００５】
上記のようにした従来の装置では、ガスパイプを長くしようとすれば、複数のガスパイプを直列に接続せざるを得ない。しかし、直列にしたガスパイプを長くすればするほど、ガス供給源から離れたパイプ先端側の着火タイミングが遅れることになる。このような着火タイミングの遅れは、演出効果にも影響を及ぼすという問題があった。また、一本のガスパイプをそれほど長くできないので、長い火炎を演出するのにも限界が生じるという問題もあった。
この発明の目的は、ガスパイプを長くしても着火タイミングの遅れを防止でき、しかも長い火炎を演出できる火炎演出装置を提供することである。
【課題を解決するための手段】
【０００６】
この発明は、底部とガイド壁とを有するとともに、上面を開放した水保持器と、この水保持器内に設けたガスパイプとガス供給源と、ガスパイプとガス供給源との間に設けた開閉機構とを備え、ガスパイプには、真下に向けたガス噴出口を設けた火炎演出装置を前提にするものである。そして、第１の発明は、上記の火炎演出装置を前提にしつつ、複数のガスパイプをガス供給源に対して並列に接続するとともに、各ガスパイプとガス供給源との間に開閉機構を設けた点に特徴を有する。
【０００７】
第２の発明は、水保持器内に各ガスパイプを直列に配置した点に特徴を有する。
第３の発明は、直列に配置したガスパイプのうち、先頭に位置するガスパイプにパイロットバーナーを対応させ、先頭に位置するガスパイプのガスに着火した後は、直列に配置したガスパイプに順次引火する構成にした点に特徴を有する。
第４の発明は、各ガスパイプに対応してパイロットバーナーを設けた点に特徴を有する。
【０００８】
第５の発明は、開閉機構を電磁弁で構成し、これら電磁弁の開閉タイミングおよびパイロットバーナーの着火タイミングを制御する制御器を設けた点に特徴を有する。
第６の発明は、水保持器を、外枠と内枠とで二重構造にして、外枠と内枠とで構成される外側水槽と、内枠内に構成される内側水槽とを備えるとともに、これら内側水槽と外側水槽とを連通させる一方、外側水槽を水源に接続した点に特徴を有する。
【発明の効果】
【０００９】
第１の発明によれば、複数のガスパイプをガス供給源に対しては並列に設けたので、各ガスパイプには、均等にガスを供給することができる。したがって、各ガスパイプにはスムーズに着火することが可能になり、いわゆる着火遅れということはなくなる。
第２の発明によれば、ガス供給源に対して並列にしたガスパイプを、水保持器内では直列に配置しているので、ガスパイプの本数分だけ火炎の長さを長くできる。
第３の発明によれば、直列に配置したガスパイプに順次着火されるので、パイロットバーナーは一つで足りる。
【００１０】
第４の発明によれば、パイロットバーナーを積極的に複数設けることによって、各パイロットバーナーの着火タイミングを自由に選択できる。したがって、火炎による演出の自由度も飛躍的に向上することになる。なお、第３の発明では、ガスパイプの並び順に順次着火する場合のことで、この場合には、パイロットバーナーが一つのほうが経済性に優れているが、演出の自由度を上げるためには、この第４の発明のようにパイロットバーナーが複数ある方が効果的である。
【００１１】
第５の発明によれば、各ガスパイプの着火タイミングを自由に制御できるので、それだけいろいろな演出効果を期待できる。
第６の発明によれば、外側水槽に満たした水によって内側枠を冷却できるので、例えば、水保持器が加熱しすぎて湾曲してしまうような問題を解消できる。
【発明を実施するための最良の形態】
【００１２】
図示の実施形態の水保持器ｈは、外側枠１と内側枠２とからなるもので、外側枠１は、底部３とその両側面にガイド壁４を起立させ、その上面を開放したものである。このようにした外側枠１には、内側枠２内を固定するが、この内側枠２は、その底部５の両側面にガイド壁６を起立させたもので、この上記外側枠１と内側枠２とは、固定脚７で固定して、外側枠１と内側枠２との間に間隔を形成し、その間隔を外側水槽８としている。なお、内側枠２内をこの発明の内側水槽９としている。
【００１３】
上記のようにした内側枠２のガイド壁６には、複数の連通孔１０を形成し、この連通孔１０を介して、上記外側水槽８と内側水槽９とを連通させている。なお、外側水槽８は、水道等の水源１１に接続している。
なお、上記水保持器ｈは、それを一単位にしていくつも直列に連接できるようにしているが、その最終端における水保持器ｈは、端面をふさいで水がこぼれないようにすること当然である。
【００１４】
そして、上記水保持器ｈの内側水槽９には、ガス噴出口を真下に形成した複数のガスパイプＰ1，Ｐ2・・・Ｐnを直列に配置するが、それら各ガスパイプＰ1，Ｐ2・・・Ｐnは、互いに独立状態を保つようにしている。このようにした各ガスパイプＰ1，Ｐ2・・・Ｐnは、図２に示すように、ガス供給源１２に対して並列に接続している。そして、各ガスパイプＰ1，Ｐ2・・・Ｐnとガス供給源１２との間には、電磁弁１３，１４を接続している。なお、図中符号１５は電磁弁で、ガス供給源１２とパイロットバーナー１６とを連通させたりその連通を遮断したりする。そして、このパイロットバーナー１６は、直列に配置した先頭のガスパイプＰ1に導かれたガスに着火するためのものである。
【００１５】
上記のようにした各電磁弁１３〜１５は、それらの開閉を電気的に制御するための制御器１７に接続しているが、この制御器１７は、各電磁弁１３〜１５の開閉のタイミングを記憶するとともに、その記憶したタイミングに合わせて電磁弁１３〜１５を開閉するものである。また、上記パイロットバーナー１６には、図示していない着火機構を設けているが、この着火機構の着火タイミングも、前記制御器１７で制御する構成にしている。
【００１６】
次に、この実施形態の作用を説明する。
各電磁弁１３〜１５のすべてを閉じた状態で、外側水槽８および内側水槽９に水を入れる。このように水を入れたとしても、ガスパイプＰ1，Ｐ2・・・Ｐnのガス噴出口が真下を向いていて、しかも、電磁弁１３，１４が閉じているので、両水槽８，９内の水がガスパイプＰ1，Ｐ2・・・Ｐnに入り込むことはない。
【００１７】
上記の状態で、制御器１７は、先ず、電磁弁１５を開弁すると同時に、上記着火機構をスパークさせる。このように電磁弁１５を開いて着火機構をスパークさせれば、パイロットバーナー１６に導かれたガスが着火される。このようにパイロットバーナー１６が着火されたら、次に、１番目のガスパイプＰ1用の電磁弁１３を開弁する。電磁弁１３を開いてガスパイプＰ1にガスが供給されれば、そのガスはパイロットバーナー１６の炎によって着火されることになる。
【００１８】
さらに、制御器１７は、ガスパイプＰ1の全長にわたって着火が終了するタイミングで、次のガスパイプＰ2用の電磁弁１４を開弁させる。なお、次のガスパイプＰ2用の電磁弁１４を開くタイミングは、制御器１７にあらかじめ記憶させておくもので、それは当該ガスパイプの長さに応じて異なること当然である。
【００１９】
上記のようにして１番目のガスパイプＰ1に着火した後に、２番目のガスパイプＰ2用の電磁弁１４を開けば、１番目のガスパイプＰ1の炎が２番目のガスパイプＰ2からの噴出ガスに引火する。このようにして各ガスパイプＰ1，Ｐ2・・・Ｐnからの噴出ガスに、順次着火していけば、連続的に燃え上がる炎を演出することができる。
【００２０】
なお、上記実施形態では、パイロットバーナー１６を最上流のガスパイプＰ1に備えたが、各ガスパイプＰ1・・・Ｐnのそれぞれにパイロットバーナー１６を個別に備えてもよい。このように各ガスパイプＰ1・・・Ｐnのそれぞれにパイロットバーナー１６を個別に備えておけば、着火順序を制御器１７に記憶させておくだけで、ガスパイプＰ1・・・Ｐnの着火順序を自由に制御できる。例えば、すべてのガスパイプＰ1・・・Ｐnを同時に着火することもできるし、先頭のガスパイプに着火し、次に一番後方に位置するガスパイプに着火することもできる。
【００２１】
また、上記のように内側水槽９内から火炎を発生させると、内側枠２が加熱されるが、この実施形態では、外側水槽８を設けているので、内側枠２がそれほど高熱にはならない。例えば、従来のように水保持器が一重構造だと、火炎を発生させたときに当該水保持器が高温になり、場合によっては水保持器が反り返ってしまうこともある。しかし、この実施形態では、外側水槽８を設けてそこに水を溜められるようにしたので、内側枠２がそれほど高温になることはなく、上記のように水保持器ｈが反り返ったりする問題はいっさい発生しない。
なお、外側水槽８は水源１１に接続するとともに、外側水槽８と内側水槽９とを連通孔１０で連通しているので、当該水保持器ｈ内の水が不足気味になったとき、いつでも水を補充できる。
【００２２】
いずれにしても、この実施形態の火炎演出装置によれば、ガスパイプＰ1，Ｐ2・・・Ｐnを何本も用いれば、長い火炎を演出することができる。しかも、複数本のガスパイプＰ1，Ｐ2・・・Ｐnの着火タイミングを制御器１７にあらかじめ記憶させておけるので、その演出効果は計り知れないものになる。
【図面の簡単な説明】
【００２３】
【図１】実施形態の要部の断面斜視図である。
【図２】水保持器を平面的に示した実施形態の回路図である。
【符号の説明】
【００２４】
ｈ                  水保持器
５                  底部
６                  ガイド壁
Ｐ1，Ｐ2・・・Ｐn   ガスパイプ
１２                ガス供給源
１３，１４          電磁弁
１７                制御器
【図１】
2005265326.tif 000003
【図２】
2005265326.tif 000004